(57)【要約】【課題】  免震性・耐火性を強化した材料で躯体を構築する方法、「防災シェルター」と呼ばれる構造物を別途施工する方法、等して木造住宅に防災機能を持たせる技術が提案・実施されているが、工費が高額になるため広く普及しているとは言い難いものであった。【解決手段】  ベタ基礎構築時に、基礎立ち上がり部にて囲繞されるゾーン内側の少なくとも一画に、該基礎立ち上がり部分の天端高さよりも９００〜１２００ｍｍ高い天端となる壁基礎を、該基礎立ち上がり部分から離される形で設け、該壁基礎の天端に土台を置き、上階床を構築する。壁基礎で囲まれた区画がシェルターとなる。 【選択図】  図１
2017036585.tif 000002
【特許請求の範囲】
【請求項１】
ベタ基礎構築時に、基礎立ち上がり部にて囲繞されるゾーン内側の少なくとも一画に、該基礎立ち上がり部分の天端高さよりも９００〜１２００ｍｍ高い天端となる壁基礎を、該基礎立ち上がり部分から離して設け、該壁基礎の天端に土台を置き、上階床を構築することを特徴とする木造住宅の構築方法。
【請求項２】
壁基礎の外周面は、基礎立ち上がり部分の内周面と離反して立設されるものである請求項１記載の木造住宅の構築方法。
【請求項３】
ベタ基礎の水平部分内の配筋と連結される配筋を内蔵する立ち上がり基礎の一部が、他より９００〜１２００ｍｍ高くなって壁を構成しており、且つ該壁によって１区画が構成されていることを特徴とする木造住宅。
【請求項４】
壁基礎の外周面は、基礎立ち上がり部分の内周面と離反しているものである請求項３記載の木造住宅。
【発明の詳細な説明】
【技術分野】
【０００１】
本発明は、災害時避難用のシェルターを備えた木造住宅の構造並びにその構築方法に関するものである。
【背景技術】
【０００２】
木造住宅の基礎は現在、布基礎とベタ基礎が主流であり、中でもベタ基礎は、布基礎に比して使用コンクリート量は嵩むが施工の手間が掛かるということはないし、住宅荷重を底板全体で支えるので強度が高く、また地面から上がる湿気を遮断する、シロアリの侵入も防ぐ、等々の利点があり採用例は増加の一途を辿っている。
【０００３】
ベタ基礎の構築は、一般には「根切り」「割栗地業」「捨てコンクリート」「鉄筋配筋」「基礎コンクリート打設」という手順で基礎水平面を作り、次いで、型枠を対向させて設置した上でセパレーターにて連結し、型枠間隙部分にコンクリートを打設するという手順で基礎立ち上がり部分を完成させる。（或いは、基礎鉛直部分を完成させてから基礎水平面を作るという方法もある）
【０００４】
このようにして構築された基礎立ち上がり部分の天端上面に、アンカーボルトで木材土台を組み付け、その上に木製柱又は木製壁体を組み付けてゆくのが木造住宅の構築手順である。土台には柱が乗せられ、１階床を作るための大引もこの土台に接合されるものであるので、基礎立ち上がり部分の天端は、正確に水平が保たれているのが普通である。
【先行技術文献】
【特許文献】
【０００５】
【特許文献１】特開２０１４−０３１６８２公報
【発明の概要】
【発明が解決しようとする課題】
【０００６】
一方木造住宅は、近時改善されてきてはいるものの耐震性・耐火性に難があるとされており、災害発生時に問題があるという印象がある。勿論、免震性・耐火性を強化した材料で躯体を構築する等して住宅全体が防災機能を持たせる技術も提案・実施されているが、工費は極めて高額になるため広く普及しているとは言い難い。或いは、「防災シェルター」と呼ばれる構造物を、例えば住宅周りの庭等に地下式或いは半地下式構造物として別途施工するということもなされているが、これとて工費は高額であり、ほとんど実施されていないというのが現状である。なお本明細書において「シェルター」とは、地震・台風・竜巻・強盗等の侵入者、等が襲来したときに避難する住宅内施設のことを指し、強度と閉鎖性に優れた一区画のもの、と定義する。生物兵器・化学兵器・放射性降下物、或いは津波等に対してのシェルター、ＤＶ加害者から緊急一時的に避難するためのシェルター、などを意味しない。また、緊急時に避難場所として機能するのであれば、居室・物置等の通常使用を妨げるものではない。
【０００７】
そうしたことから、木造住宅でありながら地震や竜巻などが発生した際に避難することができるシェルターを、大きなコストをかけることなく構築できる方法の提案、そしてそのような住宅の出現が待たれていた。
【課題を解決するための手段】
【０００８】
そこで本発明者は、こうした点に鑑み鋭意研究の結果遂に本発明を成したものでありその特徴とするところは、木造住宅の構築方法にあっては、ベタ基礎構築時に、基礎立ち上がり部分の内側の少なくとも一画に、該基礎立ち上がり部分の天端高さよりも９００〜１２００ｍｍ高い天端となる壁基礎を、該基礎立ち上がり部分から離される形で設け、該壁基礎の天端に土台を置き、上階床を構築する点に、木造住宅の構造にあっては、ベタ基礎の水平部分内の配筋と連結される配筋を内蔵する立ち上がり基礎の一部が、他より９００〜１２００ｍｍ高くなって壁を構成しており、且つ該壁によって１区画が構成されている点にある。
【０００９】
ここで木造住宅とは、柱や梁といった構造耐力上主要な部分に木材を用いた構造の住宅をいう。代表的な在来工法である木造軸組工法以外に、２×４工法（枠組壁工法）、木質パネル工法等で構築される住宅も含まれる。
【００１０】
ベタ基礎については、既述している通りであり、水平部分と鉛直（立ち上がり）部分で構成されている。コンクリートの打設は、水平部分を先ず行ない、養生後立ち上がり部分を行なうが、水平部分に打設した状態で立ち上がり部分の配筋が突出することになるので水平部分と立ち上がり部分の一体性は強固である。
【００１１】
本発明の最大の特徴は、当該住宅のシェルターとなる空間の壁体が、このベタ基礎の立ち上がり部分として構築される点にある。ベタ基礎の立ち上がり部分は、型枠を設置しコンクリートを打設することで作られるが、当該住宅のシェルターとなる空間を囲繞する壁体も、同様に型枠を設置して作るし、他の部分と同時にコンクリートが打設される。（なお本明細書中では、この壁体を構築することとなる基礎部分を「壁基礎」と呼ぶこととする）
つまり、型枠設置作業もコンクリート打設作業も、シェルター構築のための独立した工程とはなっていない。型枠と使用コンクリート量が多少余分に要るという点だけであるので、工費の上昇は存外小さいといえる。
【００１２】
言い方を換えると、本発明におけるシェルター空間は床下を持たない、ということになる。木造住宅の場合、基礎（ベタ基礎や布基礎）の上に土台をおき、その上に床構造を作るので必ず床下が存在する。しかし本発明におけるシェルターは、ベタ基礎平面部にカーペット等を敷いただけで床になるし、極端な場合では打ちっぱなしコンクリート面をそのまま床面としても良い。
【００１３】
またこのシェルター部分は、基礎立ち上がり部分の内側の少なくとも一画に設けられるものである。即ち、ベタ基礎区画にはシェルター部分と「それ以外の部分」が存在し得るということである。「それ以外の部分」は、通常の高さの基礎立ち上がり部分にて囲まれており住宅の外壁はこの上に作られることとなる。
一方、既述したようにシェルター部分の天井部分には上階床が構築されることになるが、この上階が２階であるのか１階であるのかに関しては、何階であっても良い（即ち、問題としない）ものとする。シェルター部分の上には「上階」が存在するという点については確定的である。
【００１４】
また、シェルター部分に関しては上階の床面が、この壁基礎の天端の高さを基準に構築されてゆく点である。他の立ち上がり部分の高さは、通常４００ｍｍ程度であるが、壁基礎部分はこれよりも９００〜１２００ｍｍ高く、１５００ｍｍ程度となる。９００ｍｍよりも小さいと、緊急避難施設としても高さが小さすぎて居住性が劣るし、１２００ｍｍよりも大きいと、型枠内へのコンクリート打設作業が難しくなってくるからである。例えばシェルター部分の室内高さを通常の居室と同レベルの例えば２４００ｍｍとした場合には設置する型枠の高さは２６００ｍｍとなるため通常の打設では型枠内に空洞なくコンクリートを充填しにくい。一方、室内高さが１４００ｍｍを超えるとその部分の面積が床面積に加算されるなど好ましくない点もあるので、壁基礎部分を１４００ｍｍ程度とし、居住空間としては低いものとすることの不利益に目をつぶることができる。
【００１５】
なお室内高さが１４００ｍｍを超えた場合、或いは上階の床面積の１／３の面積を超えた場合には、建築関係法令上シェルター部分も階となるので、シェルター部分の天井は２階の床となる。また、シェルター部分が地階、あるいは半地下となる場合でシェルター部分の天井が何階の床であるのかが変わってくることもある。そこでシェルター部分の天井に作られる床を総合して「上階床」と呼ぶ。
【００１６】
シェルターは、この壁基礎とベタ基礎水平部によって取り囲まれる空間ということになるが当然ながら避難者の出入り口部分は開放可能となっている。この出入り口部分を壁基礎部分に設けても、或いは天井面（即ち１階床面）に設けても良いが、躯体としての強度は、出入り口を天井面に設け、壁全周を壁基礎で切れ目なく取り囲む構造の方が高い。
いずれに設けたとしても、この出入り口部分は、シェルターとして機能するための条件（耐荷重力、耐火性、耐水性など）を満たす必要はある。
【００１７】
なおベタ基礎は通常、地面（ＧＬ）から少し掘り下げて栗石投入、捨てコンをし、その上に防湿シートを張設した上で配筋、コンクリート打設がなされるので、ベタ基礎水平部が地面よりも上にあるか下にあるかはさして問題ではない。本発明においても、ベタ基礎水平部の天面の高さは地面より高くても低くても良いものとする。ある程度低くなると、地下或いは半地下となるが、その場合に生じる法的規制については本発明においては考慮しない。
【００１８】
また本発明にあって壁基礎は、当該住宅の外壁の一部を構成しない。即ち、ベタ基礎の立ち上がり部分の天端に据えた土台から立ち上がる部分が外壁となり、壁基礎はその内側に立設することになる。「基礎立ち上がり部分にて囲繞されるゾーン内側の少なくとも一画に壁基礎を設ける」とはそういう意味である。
更に壁基礎は、外壁の一部となる基礎立ち上がり部分から「離して」形成される。なお、基礎立ち上がり部分と壁基礎とは、ベタ基礎の水平部分を介して繋がっているものであるが、「ベタ基礎の立ち上がり部分」に関しては壁基礎と離れていると言える。従って「離れている」は、別体であるということを意味しない。
そして、いずれも型枠を設けて作るものであることから自明であるが、離すことによって壁基礎の耐候性が増し、半地下タイプのシェルターの場合にはドライエリアを形成することとなるので採光性・通気性が増し居住性は高くなる。
【発明の効果】
【００１９】
以上のように本発明は、木造住宅の構築方法にあっては、ベタ基礎構築時に、基礎立ち上がり部分の内側の少なくとも一画に、該基礎立ち上がり部分の天端高さよりも９００〜１２００ｍｍ高い天端となる壁基礎を、該基礎立ち上がり部分から離される形で設け、該壁基礎の天端に土台を置き、上階床を構築する点に、木造住宅の構造にあっては、ベタ基礎の水平部分内の配筋と連結される配筋を内蔵する立ち上がり基礎の一部が、他より９００〜１２００ｍｍ高くなって壁を構成しており、且つ該壁によって１区画が構成されている点に特徴のあるものであって、以下述べる如き効果を有する極めて高度な発明である。
【００２０】
（１）シェルター部分の床及び周壁が、鉄筋コンクリート製であるので、木造住宅でありながら、強度が防災性の高い一画を有することとなり、シェルターとして機能する。
（２）木造住宅構築にあって、鉄筋コンクリート工法が用いられるベタ基礎設置工と並行して壁基礎を構築するものであるので、コストや工期が大幅に増すことがなく、従来のシェルター設置に比べて非常に低コストとなる。
【図面の簡単な説明】
【００２１】
【図１】本発明に係る木造住宅の基礎部分を示す概略斜視図である。
【図２】本発明に係る木造住宅の基礎の一部を概略的に示す端面図である。
【図３】本発明に係る木造住宅の一例の見取り図である。
【発明を実施するための形態】
【００２２】
図１は、本発明に係る木造住宅１（以下「本発明住宅１」という）の基礎部分を示す概略斜視図であってこの基礎部分を誇張して描出している。本例の本発明住宅１の基礎はベタ基礎であって、通常の住宅と同様、基礎水平部２と基礎鉛直部３とを有する。但し、本発明住宅１の場合、基礎鉛直部３の内側の一画に壁基礎部４が設けられている。壁基礎部４は、平面視矩形状であって住宅外壁に向いた開口４１以外には切欠部分がない。この開口４１は、外壁に空けられた開口と連通し、通風或いは採光用の窓となる。そしてこの４つの周壁によって囲まれたゾーンがシェルター５である。
【００２３】
壁基礎部４の天端高さは、約１３００ｍｍであり、基礎鉛直部３の天端よりも１ｍ近く高いものである。通常、基礎鉛直部３の天端には土台６が乗せられ、これが１階の床面構築の目安となる。本発明の場合には、壁基礎部４の天端と基礎鉛直部３の天端とが約１ｍ違うことになるが、本例では壁基礎部４の天端に置いた土台を１階の床面構築の目安としている。従って、シェルターを床下に配置した木造住宅であるということになる。
【００２４】
ベタ基礎は、本例ではまず水平部分にコンクリートを打設し、この養生が済んだ段階で型枠を立設しコンクリートを打設して鉛直部分を構築したが、最初に鉛直部分を構築しその後水平部分にコンクリートを打設するようにしても良い。
【００２５】
シェルター５の壁にはどこにも「ドア」がない。これは、壁がベタ基礎と同じ手法で構築されていることと関連する。ベタ基礎は、住宅全体を支承する強度の高い構造体でありそれは、「鉄筋コンクリート」製であることによる。コンクリート内に配筋される鉄筋は一般的な住宅の場合でも３００ｍｍ四方より大きな無配筋部分が存在しないものであり、ここに出入り口を設けた場合には、強度の維持が重要な問題となってくる。
そこで本例では、天井面の一部を切り欠いて出入り口とし、上階から出入りするようにしている。
なお、壁基礎部４が作る壁が小窓を持つことについては特に問題はない。配筋を切断することなく、配筋の空隙部分に窓を形成すれば強度劣化は来たしにくいからである。
【００２６】
図２は、基礎の一部を概略的に示す端面図である。配筋されているがその図示は省略している。基礎水平部２、基礎鉛直部３、壁基礎部４が一体的に構築されていること、基礎鉛直部３の天端に比べて壁基礎部４の天端が圧倒的に高位置にあることが分かる。
【００２７】
図３は、本発明住宅１の一例の見取り図を示すものである。この住宅は、床下フロアＡと１階フロアＢとロフトフロアＣとから構成されており、シェルター５は、床下フロアＡに相当し、１階フロアＢと階段７で連結されており、この階段７はシェルター５の内部に直接通じている。
【符号の説明】
【００２８】
１    本発明に係る木造住宅
２    基礎水平部
３    基礎鉛直部
４    壁基礎部
４１  開口
５    シェルター
６    土台
７    階段
Ａ    床下フロア
Ｂ    １階フロア
Ｃ    ロフトフロア
【図１】
2017036585.tif 000003
【図２】
2017036585.tif 000004
【図３】
2017036585.tif 000005